(57)【要約】【課題】電子黒板を投影機のスクリーンとして使用し投影した画像とスクリーン上に加筆した文字等を読み取り印字する装置を提供すること。【解決手段】スクリーンとして使用する電子黒板のボードを半透明にし、スキャナはボードの背面を走行し画像を読み取りする構造とする。電子黒板の正面のプロジェクタにより投影される画像は、半透明なボードで反射および透過しボードの両面に画像が映し出される。マーカ等による加筆文字は投影光の一部を吸収しボードを反射および透過する。透過光を背面走行するスキャナで読み取り印字することにより、プロジェクタ画像と加筆した文字等の合成画像を印字記録する。【選択図】図１
2010064470.tif 000002
【特許請求の範囲】
【請求項１】
プロジェクタで投影した画像と筆記用を用いて文字等を書き込みを行うボードと、該ボードに沿って走行する画像を読み取るスキャナと、該スキャナで読取った読取データを出力する手段を持つ電子黒板において、
前記ボードが反射特性と透過特性を備え、前記スキャナが前記ボードからの透過光を読取る配置としたことを特徴とする電子黒板。
【請求項２】
前記スキャナが、前記ボードの背面と前面に配置を切替える読取方向切替手段を設けたことを特徴とする請求項１に記載の電子黒板。
【発明の詳細な説明】
【技術分野】
【０００１】
本発明は、電子黒板のボードをスクリーンとして使用し投影画像と加筆画像を読み取る電子黒板に関するものである。
【背景技術】
【０００２】
電子黒板と投影機を組み合わせた使用、即ち電子黒板のボードをスクリーン代わりにして、画像を投影した状態でマーカにより加筆する。この場合に、投影画像と加筆画像の両方が読み取れることが望ましい。
【０００３】
図５は、特開平５−１０４８９５号に示す電子黒板の構成で、ボード２０に沿って移動する画像読み取りスキャナ２６を、ボード２０上の加筆された画像２５を共通変換素子３０上に結像させる第１の光学系４０と、投影機２３からの投影画像を共通変換素子３０上に結像させる第２の光学系３１を独立に配置し、第１の光学系４０内に調光手段５０、５１、５２、５３を有して構成し、投影画像とボード上の文字の両方を畳重して読み取る方法が考案されている。
【０００４】
特開平１０−２９７１６６号では、投影画像データと電子黒板の手書きデータを、画像データを出力するパソコン内部のメモリ上で合成させ、パソコンに接続してあるプリンタにより印字させる方法が考案されている。
【特許文献１】特開平５−１０４８９５号公報
【特許文献２】特開平１０−２９７１６６号公報
【発明の開示】
【発明が解決しようとする課題】
【０００５】
解決しようとする問題点は、特開平５−１０４８９５号に示す電子黒板の構成の場合スキャナ２６がボードの右端から左端まで移動するとき、投光機から光３５は、ボード２０の上面に対して入射角が変化するため、反射ミラー３６に角度調整機構を設けないと投影機から発光される光軸を正確に結像できない。また広角投影の場合には、反射ミラーに角度調整機構を装着しても調整範囲を悦脱して結像できない欠点を持つ。
【０００６】
特開平１０−２９７１６６号の方式では、照射画像と加筆データの位置ズレが課題となる。特に、照射装置とスクリーンの位置関係により、長方形に照射されるべき画像が台形に照射された場合に位置ズレ量が大きくなる。また、電子黒板を操作するパソコンには、電子黒板からのデータ入力やデータ合成行うための専用ソフトウエアを搭載する必要があり、汎用性が悪くなる。
【０００７】
そこで、本発明は上記問題点に鑑みてなされたものであり、電子黒板のボードをスクリーンとして使用し投影画像と加筆画像の２つの画像の合成を位置ズレのない簡便な方法で提供することを目的とする。
【課題を解決するための手段】
【０００８】
上記目的を達成するために、  本発明はスクリーンとして使用するボードを半透明にし、ボードに投影された画像とマーカによる加筆画像を、半透明なボードから透過させ、ボード背面に配置したスキャナにより読み取る構造としたことを特徴とする。
【発明の効果】
【０００９】
本発明の電子黒板は、ボード投影画像と加筆画像を直接スキャナで読み取ることができるため、ズレのない良質な合成画像を簡単な機構で構成できる利点がある。
【００１０】
特開平１０−２９７１６６号の方式のように、パソコンに電子黒板専用ソフトウエアを装備する必要もケーブル接続も不要となり、加筆画像のみ読取印刷処理を行う電子黒板の操作と同じに、印刷開始スイッチを押すだけで投影画像と加筆画像の合成画像を読取印刷処理が可能となり操作性に優れる。
【発明を実施するための最良の形態】
【００１１】
投影画像と加筆画像の２つの画像の合成を位置ズレのない簡便な方法で提供する目的を、最小の部品点数で実現した。
【実施例１】
【００１２】
図１は本発明の実施例を示し、電子黒板１は、半透明な光学的透過特性を持つボード２と、電子黒板１の背面を走行し画像を読み取るスキャナ３と読取画像を印刷するプリンタ６が主な構成となっている。
【００１３】
図２は図１のボード２とスキャナ３の断面図を示したもので、ボード２は全体を半透明板としてもよいが、ボード内部で光の拡散を最小に抑えるため透明部２ａに乳白色の半透明部２ｂを重ねた２層構造となっている。
【００１４】
スキャナ３はレンズ１６とＣＣＤ１７と光源１８がカバー１９内部に収納されている。プロジェクタ８からの入射光１３はボード２ｂで反射光１４と透過光１５に分離され、透過光１５はレンズ１６によりＣＣＤ１７に結像する配置となっている。
【００１５】
図３は、スキャナ３上部の読取方向切替手段を説明したもので、ヒンジ４は回転軸７を中心に１８０°回転できる構造となっている。
【００１６】
図１の前面に置かれたプロジェクタ８から照射される投影画像１１とマーカ等により加筆された画像は、ボード２からの反射光により正面の電子黒板利用者の視覚へ到達すると同時にプロジェクタ８から照射される投影画像１１は、透過光により、ボード２の背面にも画像が映し出される。このとき、マーカ等による加筆部分は、透過光を減衰させ背面に到達するため、背面の画像は投影画像と加筆画像の合成画像となっている。
【００１７】
電子黒板利用者が電子黒板の内容を印刷したいときは、プリンタ６に設けられた印刷開始スイッチを押すことにより、スキャナ３はボード２の原点位置１０に移動してから、中央方向へ背面走行を開始し逐次画像を読み取り、ラインイメージデータをプリンタ６に転送する。
【００１８】
スキャナ３がボード全体を走行し画像読み取りを終えプリンタ６により印刷された結果は、プロジェクタ８から照射される投影画像１１と、マーカにより追記した加筆画像１２の合成画像となる。
読取データを出力する手段をプリンタ６の印字の例で説明したが、出力先をUSBメモリやＬＡＮを経由してサーバに保存してもよい。
【実施例２】
【００１９】
プロジェクタ８を使用しないで、ボード２上に議事情報が書き込まれたメモを貼り付けるなどして使用した場合、透過画像が背面で読み取れなくなる、このときスキャナ３をボード２の前面を走行し画像読取を行う場合の説明をする。
【００２０】
スキャナー３上部には、１８０°回転できるヒンジ４が設けられ、図１に示す矢印９の位置でスキャナー３を背面から前面へ振り向ける。
【００２１】
図４はスキャナ３とボード２の位置関係を示す断面図であって、電子黒板背面に配置されたスキャナ３ａは、電子黒板端の矢印９の位置で方向を変換する。電子黒板１の枠５と方向変換中のスキャナ３ｂは、干渉しないような配置となっている。
【００２２】
方向変換を終え電子黒板正面３ｃの位置となったとき、ボード半透明部２ｂから正面に位置するＣＣＤ１７ｃの距離Ｌｃは、ボード半透明部２ｂから背面に位置するＣＣＤ１７ａの距離Ｌａと同等なり、ボード半透明部２ｂの画像は背面と正面で同じ焦点距離となる。このため、スキャナ３は、背面と正面でピントを変更する必要がなく鮮明画像データを読み見取りできる。
【００２３】
印刷を開始するときは、印刷開始スイッチを押すことにより、スキャナ３はボード２の原点位置１０に移動してから、中央方向へ正面走行を開始し逐次画像を読み取り、ラインイメージデータをプリンタ６に転送し印刷する。
【００２４】
ボード２の背面から見る画像と正面から見る全体画像は、左右反転画像になるが、スキャナ３の位置が原点位置１０から同じ距離の正面で取得する画像データと背面で取得した画像データは、正面と背面で走査位置が同じ縦方向に１ラインのデータのため、正面走行時と背面走行時の画像データ読み取り転送印字処理手順は同じであり、左右反転画像を修正するための処理を必要としない。
【００２５】
プロジェクタ８を使用しない正面走行と、プロジェクタ８を使用する背面走行では、入射する光量に差を生じるため、入射光量不足時は、光源１０を点灯しＣＣＤ１７に入る光量を増加させ、入射光量過多のときは、サンプリング時間時間を短くし、最適な濃淡を得るように制御する。
【００２６】
背面と前面に切替える機構を回転ヒンジで説明したが、スキャナ３を着脱できる方式とし背面と前面に切替える機構としてもよい。
【産業上の利用可能性】
【００２７】
図１の実施例では、プロジェクタをボード２の前面配置で説明したが、背面から画像を投影しスキャナをボードの前面側を走行させ画像取得する方法にも適用できる。
【図面の簡単な説明】
【００２８】
【図１】電子黒板の実施方法を示した説明図である。
【図２】ボードとスキャナの構造を示した断面図である。
【図３】ヒンジを示した説明図である。
【図４】スキャナ３とボード２の位置関係を示す断面図である。
【図５】従来の電子黒板の説明図
【符号の説明】
【００２９】
１    電子黒板
２    ボード
３    スキャナ
４    ヒンジ
５    枠
６    プリンタ
７    回転軸
８    プロジェクタ
９    回転位置
１０  原点位置
１１  投影画像
１２  加筆画像
１３  入射光
１４  反射光
１５  透過光
１６  レンズ
１７  ＣＣＤ
１８  光源
１９  カバー
２０  ボード
２３  投影機
２６  スキャナ
３０  共通変換素子
３６  反射ミラー
【図１】
2010064470.tif 000003
【図２】
2010064470.tif 000004
【図３】
2010064470.tif 000005
【図４】
2010064470.tif 000006
【図５】
2010064470.tif 000007